(57)【要約】【課題】所定の光学情報または電波情報を読み取ることにより誤操作を発生することなくモードの変更が可能となる情報端末を提供する。【解決手段】入力部９と、光学情報を読み取る光学情報読取部および／または電波情報を読み取る電波情報読取部２とを有し、所定の光学情報または電波情報を読み取ることにより入力部９の入力を可能または不可能にする制御部を有し、手間を掛けずかつ誤操作の発生を防ぐことができる。また、所定の光学情報または電波情報を読み取ることにより業務モードを変更し、かつ変更された業務モードにおいて使用されるキーのみを入力可能にしこのキーを所定の設定にする制御部を有し、変更された業務モードの下でも誤入力を発生することなくキー入力が可能となる。【選択図】  図１
2004164382.tif 000002
【特許請求の範囲】
【請求項１】
入力部と、光学情報を読み取る光学情報読取部と、所定の光学情報を読み取ることにより入力部の入力を可能または不可能にする制御部とを有する情報端末。
【請求項２】
入力部と、光学情報を読み取る光学情報読取部と、所定の光学情報を読み取ることにより業務モードを変更し、かつ変更された業務モードにおいて使用されるキーのみを入力可能にしこのキーを所定の設定にする制御部とを有する情報端末。
【請求項３】
光学情報としてバーコードを用いる請求項１または２に記載の情報端末。
【請求項４】
入力部と、電波情報を読み取る電波情報読取部と、所定の電波情報を読み取ることにより入力部の入力を可能または不可能にする制御部とを有する情報端末。
【請求項５】
入力部と、電波情報を読み取る電波情報読取部と、所定の電波情報を読み取ることにより業務モードを変更し、かつ変更された業務モードにおいて使用されるキーのみを入力可能にしかつこのキーを所定の設定にする制御部とを有する情報端末。
【請求項６】
電波情報として無線タグを用いる請求項４または５に記載の情報端末。
【請求項７】
入力部と、光学情報を読み取る光学情報読取部と電波情報を読み取る電波情報読取部と、所定の光学情報または電波情報を読み取ることにより入力部の入力を可能または不可能にする制御部とを有する情報端末。
【請求項８】
入力部と、光学情報を読み取る光学情報読取部と電波情報を読み取る電波情報読取部と、所定の光学情報または電波情報を読み取ることにより業務モードを変更し、かつ変更された業務モードにおいて使用されるキーのみを入力可能にしかつこのキーを所定の設定にする制御部とを有する情報端末。
【請求項９】
光学情報としてバーコードを用い、電波情報として無線タグを用いる請求項７または８に記載の情報端末。
【発明の詳細な説明】
【０００１】
【発明の属する技術分野】
本発明は、バーコードのような光学情報、あるいは無線タグのような電波情報を読み取る情報端末に関する。
【０００２】
【従来の技術】
従来、バーコード情報を読み取り、情報を収集するバーコードリーダが知られている。また、無線タグを読み取り内蔵された情報を読み書きする無線タグリーダ・ライタが知られている。
【０００３】
従来のバーコードリーダまたは無線タグリーダ・ライタは数字などを入力するキーボードと、バーコードや無線タグの読み取りを開始するトリガーキーとを備えている。
【０００４】
キーボードとトリガーキーとは隣り合って設けられていることが多く誤操作を発生することが多かった。これに対して、従来は、キー操作により「バーコード入力」が選択されるとキーボード入力禁止モードに変更しトリガーキーからの入力のみを受け付ける。また、バーコード入力終了を示すバーコードが読み取られ終了が判別されるとキーボード入力可能モードに変更されトリガーキーからのバーコード入力を禁止するというように誤操作を防止していた。
【０００５】
また、複雑な操作工程において熟練者でなくても操作ミスなく短時間でデータを入力するため、バーコード入力により業務モードを変更するとともに、バーコード入力からキーボード入力に変更していた（例えば、特許文献１参照）。
【０００６】
【特許文献１】
特開平６−１９５２４号公報（第２−３頁、第３図）
【０００７】
【発明が解決しようとする課題】
然るに、従来の情報端末はキーボード入力を不可能にする際にはメニューにおいてキー操作により「バーコード入力」を選ぶことが必要であり、複数のキー操作が必要であるため、手間がかかるとともに誤操作が発生する可能性があった。
【０００８】
なお、キーボード入力を可能にするには複数のバーコードを読み取った後、読取終了のバーコードを読み取ることにより、バーコード入力が終了したか否かを判別しモードを変更していたが、任意のタイミングでキーボード入力モードに変更することが難しいという問題点があった。
【０００９】
また、業務モードを変更するバーコードを読み取った際には、業務モードを変更するとともにバーコード入力モードからキー入力モードに変更していたが、バーコードを読み取ることができないとともに、全てのキーからの入力が可能となるため誤入力が発生する可能性が高かった。
【００１０】
本発明は前記問題点に鑑み、所定の光学情報または電波情報を読み取ることにより手間をかけずかつ誤操作を発生することなく入力モードの変更が可能となる情報端末および所定の光学情報または電波情報を読み取ることにより業務モードを変更し、誤入力を発生することなくキー入力することが可能となる情報端末を提供することを目的とする。
【００１１】
【課題を解決するための手段】
上記課題を解決するために本発明は、入力部と、光学情報を読み取る光学情報読取部または電波情報を読み取る電波情報読取部の少なくとも一つとを有する。
【００１２】
また、所定の光学情報または電波情報を読み取ることにより入力部の入力を可能または不可能にする制御部を有し、手間を掛けずかつ誤操作の発生を防ぐことができる。
【００１３】
また、所定の光学情報または電波情報を読み取ることにより業務モードを変更し、かつ変更された業務モードにおいて使用されるキーのみを入力可能にする制御部を有し、変更された業務モードの下でも誤入力を発生することなくキー入力が可能となる。
【００１４】
【発明の実施の形態】
本発明は、入力部と、光学情報を読み取る光学情報読取部と、所定の光学情報を読み取ることにより入力部の入力を可能または不可能にする制御部とを有する情報端末である。
【００１５】
また、本発明は、入力部と、光学情報を読み取る光学情報読取部と、所定の光学情報を読み取ることにより業務モードを変更し、かつ変更された業務モードにおいて使用されるキーのみを入力可能にしこのキーを所定の設定にする制御部とを有する情報端末である。
【００１６】
また、光学情報としては、バーコードを用いることができる。
【００１７】
また、本発明は、入力部と、電波情報を読み取る電波情報読取部と、所定の電波情報を読み取ることにより入力部の入力を可能または不可能にする制御部とを有する情報端末である。
【００１８】
また、本発明は、入力部と、電波情報を読み取る電波情報読取部と、所定の電波情報を読み取ることにより業務モードを変更し、かつ変更された業務モードにおいて使用されるキーのみを入力可能にしかつこのキーを所定の設定にする制御部とを有する情報端末である。
【００１９】
また、電波情報としては無線タグを用いることができる。
【００２０】
また、本発明は、入力部と、光学情報を読み取る光学情報読取部と電波情報を読み取る電波情報読取部と、所定の光学情報または電波情報を読み取ることにより入力部の入力を可能または不可能にする制御部とを有する情報端末である。
【００２１】
また、本発明は、入力部と、光学情報を読み取る光学情報読取部と電波情報を読み取る電波情報読取部と、所定の光学情報または電波情報を読み取ることにより業務モードを変更し、かつ変更された業務モードにおいて使用されるキーのみを入力可能にしかつこのキーを所定の設定にする制御部とを有する情報端末である。
【００２２】
また、光学情報としてバーコードを用い、電波情報として無線タグを用いることができる。
【００２３】
以下、本発明の実施の形態について図１〜図５の図面を用いて説明する。図１において１は情報端末の筐体であり、前記筐体１の前面に光学情報読取部および／または電波情報読取部２の少なくとも一つを有している。また、前記筐体１の内部には制御部１０を有している。３はパワースイッチであり、４はトリガーキーであり、５はＯＫキーである。６は数字等を入力するためのキーボードであり、７はファンクションキーであり、８は液晶表示部である。また、パワースイッチ３と、トリガーキー４と、ＯＫキー５と、キーボード６と、ファンクションキー７とを含めて入力部９は構成されている。
【００２４】
また、図２において複合型読み書き装置３００は制御部３１０とバーコード読取装置３２０と無線タグ読取書込装置３３０とからなる。前記制御部３１０は中央処理装置３１１と入力装置３１２と出力装置３１３と記憶装置３１４とからなる。制御の役割を持つ前記中央処理装置３１１はＣＰＵにより実現され、接続装置とデータの入出力やデジタル演算を行い、入力装置３１２や光学情報読取装置３２０や無線タグ読取書込装置３３０から情報を入力し、出力装置３１３に出力し、記憶装置３１４に情報データを格納する。入力装置３１２は入力部９により構成される。出力装置３１３は液晶表示部８やＬＥＤ、ブザー等で構成され、作業者に視覚的、聴覚的な情報を伝える。記憶装置３１４はデジタルデータを記憶しておくメモリで構成される。
【００２５】
バーコード読取装置３２９は結像部３２１と撮像素子３２２とＡ／Ｄ変換機３２３で構成される。結像部３２１はバーコード３４０の光学的なイメージを絞り込むレンズで構成され、撮像素子３２２は結像部３２１から入ったイメージをアナログ電気信号に変換する。Ａ／Ｄ変換機３２３は前記アナログ電気信号をデジタル信号に変換し、中央処理装置３１１へ送信する。
【００２６】
無線タグ読取書込装置３３０はアンテナヘッド３３１と復調変調器３３２から構成される。アンテナヘッド３３１は無線タグ３５０へ電磁波を送信し、データを送り、無線タグ３５０からの電磁波を受信する。復調変調器３３２は中央処置装置３１１から送られた送信データに変調をかけてアンテナヘッド３３１へ送出するとともに、アンテナヘッド３３１で受信した信号を復調しデジタルデータに変換して中央処理装置３１１へ送信する。
【００２７】
無線タグ３５０はメモリ３５１と制御部３５２とアンテナ３５３とから構成され、無線タグ読取書込装置３３０からデータを読み出すことができる。アンテナ３５３はアンテナヘッド３３１から電磁波を受信しあるいはアンテナヘッド３３１へ電磁波を送信する。制御部３５２はアンテナ３５３で受信したデータを復調デジタル化しメモリ３５１へ送信し、またメモリ３５１の内容を変調しアンテナ３５３へ送信する。メモリ３５１は制御部３５２からのデジタルデータを記憶保持し、保持していたデジタルデータを制御部３５２へ送信する。
【００２８】
バーコードリーダ読取装置と無線タグリーダ読取書込装置を有する複合型読取書込装置について説明したが、バーコードリーダをはじめとする光学情報読取装置のみ、無線タグリーダをはじめとする電波情報読取装置のみを有する情報端末についてもそれぞれに対応する同様の構成になっている。
【００２９】
以上のように構成された情報端末について図３〜図５を用いてその動作を説明する。図３において使用者は図４を例とするバーコードや無線タグを用いて入荷検品、出荷検品及びホスト通信を行っている。
【００３０】
開始ステップにおいてパワースイッチ３を押して電源を入れ電源ＯＮステップにした後、「入力部不可」読込みステップにおいて入力部不可能のバーコード２２あるいは無線タグ３２を読み取り、キー入力モードからバーコード入力モードあるいは無線タグ入力モードに変更する。
【００３１】
その後、入荷検品作業ステップにおいて入荷検品モードに変更するか否かを選択する。入荷検品モードに変更する場合には「入荷検品」読込みステップに移り、また入荷検品モードに変更しない場合には出荷検品作業ステップに移行する。「入荷検品」読込みステップでは入荷検品のバーコード２３あるいは無線タグ３３を読み取り、入荷検品モードに変更する。入荷検品モードにおいては、バーコード入力モードあるいは無線タグ入力モードであり、入力部９のうち使用される所定のキーのみの入力が可能となる。その後、「商品コード」読込みステップにおいて商品のバーコードあるいは無線タグを読み取り、またはキー入力によりデータを入力する。
【００３２】
その後、商品終了ステップに移行し、商品の入荷検品を終了する場合には出荷検品作業ステップに移り、入荷検品を終了しない場合には「商品コード」読込みステップに戻り作業を繰り返す。出荷検品作業ステップにおいて出荷検品モードに変更するか否かを選択する。出荷検品モードに変更する場合には「出荷検品」読込みステップに移り、また出荷検品モードに変更しない場合にはホスト通信作業ステップに移行する。「出荷検品」読込みステップでは、出荷検品のバーコード２４あるいは無線タグ３４を読み取り、出荷検品モードに変更する。出荷検品モードにおいては、バーコード入力モードあるいは無線タグ入力モードであり、入力部９のうち使用される所定のキーのみの入力が可能となる。その後、「商品コード」読込みステップにおいて商品のバーコードあるいは無線タグを読み取り、またはキー入力によりデータを入力する。
【００３３】
その後、商品終了ステップに移行し、商品の出荷検品を終了する場合にはホスト通信作業ステップに移り、出荷検品を終了しない場合には「商品コード」読込みステップに戻り作業を繰り返す。ホスト通信作業ステップではホスト通信モードに変更するか否かを選択する。ホスト通信モードに変更する場合には「ホスト通信」読込みステップに移り、またホスト通信モードに変更しない場合には電源ＯＦＦステップに移行する。「ホスト通信」読込みステップでは、ホスト通信のバーコード２４あるいは無線タグ３４を読み取り、ホスト通信モードに変更する。ホスト通信モードにおいては、バーコード入力モードあるいは無線タグ入力モードであり、入力部９のうち使用される所定のキーのみの入力が可能となる。その後、電源ＯＦＦステップに移行しパワースイッチを押して電源を切ると終了ステップに移り、作業を終了する。
【００３４】
図５はホスト通信モードにおけるファンクションキー７および液晶表示部８の設定の例であり、入荷検品モード、出荷検品モード、ホスト通信モード等の業務モードに応じてファンクションキー７および液晶表示部８の設定を変更することができる。
【００３５】
また、入力部９を使用する場合には任意のタイミングで入力部可能のバーコード２１あるいは無線タグ３１を読み込むことでバーコード入力モードあるいは無線タグ入力モードからキー入力モードに変更することができる。
【００３６】
入荷検品、出荷検品、ホスト通信の全ての業務を行う場合について説明したが、いずれかの業務モードのみを使用する場合や業務モードを組み合わせて使用する場合においてもその業務モードに対応する動作を行う。
【００３７】
以上のように、本実施の形態によれば、入力部不可能のバーコード２２あるいは無線タグ３２を読み取ることにより入力部９の入力を不可能にすることができるため、手間を省くことができるとともに誤操作の発生を防ぐことができる。
【００３８】
また、入力部可能のバーコード２１あるいは無線タグ３１を読み取ることにより入力部９の入力を可能にすることができ、かついつでも前記入力部可能のバーコード２１あるいは無線タグ３１を読み込むことができるため、任意のタイミングでキー入力モードに変更することができる。
【００３９】
また、業務モードを変更するバーコード２３〜２５あるいは無線タグ３３〜３５を読み取ることにより、業務モードを変更するとともに、バーコード入力モードあるいは無線タグ入力モードの下で、使用される所定のキーのみの入力が可能となりまた変更された業務モードに応じて、使用されるキーを所定の設定とするため誤入力の発生を防ぐことができる。
【００４０】
なお、変更された業務モードや使用されるキーの設定に応じて液晶表示部８の設定を変更することができるため前記業務モードあるいは使用されるキーの設定を確認することができ好ましい。
【００４１】
また、本実施の形態においては入力部９に複数のキーを有する場合について説明したが、タッチパネルのように入力部９に複数のキーを有しない場合についても同様の動作を行い、同様の効果が得られる。
【００４２】
本実施の形態においてバーコードおよび無線タグを併用して説明した。バーコードに関しては広く普及しており安価であるという長所があるが、書込みができないという短所もある。これに対し、無線タグは高価ではあるが書込みが可能であり、一度設定を書き込んだ後にデータを変更でき、また汚れに強いという長所がある。書込みが可能であるという点を活かして検品作業済み等のデータを書き込むこともできるので好ましい。さらに、無線タグのメモリはバーコードより大きなものが多く、無線タグを一度読み取るだけでバーコードを複数読み取ることと同じ効果を得られるため作業が簡単になる。
【００４３】
【発明の効果】
本発明は以上説明したように、入力部と、光学情報を読み取る光学情報読取部または電波情報を読み取る電波情報読取部の少なくとも一つと、所定の光学情報または電波情報を読み取ることにより入力部の入力を可能にしまたは不可能にする制御部とを有する、手間を掛けずかつ誤操作の発生を防ぐことができる。
【００４４】
また、所定の光学情報または電波情報を読み取ることにより業務モードを変更し、かつ変更された業務モードにおいて使用されるキーのみを入力可能にする制御部を有するため、変更された業務モードの下でも誤入力を発生することなくキー入力が可能となる。
【図面の簡単な説明】
【図１】（ａ）本発明の実施の形態における情報端末の側面図
（ｂ）本発明の実施の形態における情報端末の正面図
【図２】本発明の実施の形態における複合型読取書込装置と無線タグとバーコードのブロック図
【図３】本発明の実施の形態における情報端末により入荷検品と出荷検品とホスト通信とを行うフローチャート
【図４】本発明の実施の形態における情報端末によりモード変更を行うためのバーコードリストおよび無線タグリストを示す図
【図５】本発明の実施の形態における情報端末により所定の情報を読ませた後に所定の設定となる複数のキーおよび液晶表示部の説明図
【符号の説明】
１  筐体
２  光学情報および／または電波情報読取部
３  パワースイッチ
４  トリガーキー
５  ＯＫキー
６  キーボード
７  ファンクションキー
８  液晶表示部
９  入力部
１０  制御部
【図１】
2004164382.tif 000003
【図２】
2004164382.tif 000004
【図３】
2004164382.tif 000005
【図４】
2004164382.tif 000006
【図５】
2004164382.tif 000007